(57)【要約】      （修正有）【課題】可動床を上昇させるときにコースロープに対して悪影響が及ばず、また、通常の競技等におけるコースロープの使用時には、コースロープを規定通りの緊張状態に張ることができるプール用のコースロープ支持装置を提供する。【解決手段】プール壁面に装着可能な、上下方向に設置する支持軸３と、支持軸３に支持され、その軸線に沿って移動自在なコースロープの係止部４とを設けている。係止部４は、コースロープの端部を支持した状態で支持軸３の軸線に沿って移動可能に構成している。【選択図】図２
0003144734.tif 000002
【実用新案登録請求の範囲】
【請求項１】
水泳用プールのコースロープ支持装置であって、プール壁面に装着可能な、上下方向に設置する支持軸と、当該支持軸に支持され、その軸線に沿って移動自在なコースロープの係止部とを設けており、当該係止部は、コースロープの端部を支持した状態で支持軸の軸線に沿って移動可能に構成していることを特徴とするプール用コースロープ支持装置。
【請求項２】
内部に空間を有する枠体内に支持軸と係止部とを設けて、支持軸と係止部とを枠体内に一体化した構成である請求項１記載のプール用コースロープ支持装置。
【請求項３】
支持軸に支持された係止部の移動を規制して、コースロープの上下方向の位置決めを行うロック装置を設けた請求項１または２記載のプール用コースロープ支持装置。
【考案の詳細な説明】
【技術分野】
【０００１】
この考案は、競泳や遊泳に供される水泳用プールにおいて、コースロープの支持高さが容易に変更可能なプール用コースロープ支持装置に関する。
【背景技術】
【０００２】
従来、水泳用のプールに設置されるコースロープの支持装置としては、ロープ端部のフックを係止する環状の係止部材が一般的に用いられており、この係止部材がプール壁面に固定されているものである。
また、特許文献１（特開２０００−２３７４６７号公報）に示されたように、棒状部材の一端にフックが設けられ、排水溝の溝蓋支持バーに係止可能に構成され、棒状部材の他端にコースロープのフックを係入するリング部が設けられたコースロープの取付装置も開示されている。
【０００３】
この構成のコースロープの取付装置では、当該取付装置を、壁面等の取付部から簡単に取り外したり、取付位置の変更ができるようになり、コースロープ間の間隔を自在に変更したり、コースロープをプールの片側へ寄せるなどの作業を迅速容易に行えるという効果があった。
【特許文献１】特開２０００−２３７４６７号公報
【考案の開示】
【考案が解決しようとする課題】
【０００４】
しかしながら、上記従来の一般的な環状の係止部材で構成された支持装置では、環状の係止部は固定構造であるため、コースロープの端部もプール壁面に固定されたままであり、コースロープは高さの変更は不可能な構成となっている。
ところで、近年、徐々に採用されている可動床構造を備えたプール設備の場合、夜間等プールが使用されない時、上記可動床をプール水面まで上昇させてプールの蓋として配置させている。しかしながら、上記構造のプールにおいては、上記可動床を上昇させると、可動床がコースロープを持ち上げる状態となる。したがって、この構成のコースロープ固定構造を有するプールでは、コースロープ係止部が固定構造であることによって、コースロープが支障となり可動床を水面まで上昇させることができない、という欠点があった。すなわち、可動床を水面まで上昇させてしまうと、可動床上にコースロープが載ったままコースロープが上方へ持ち上げられる状態となるため、コースロープが引っ張られて異常な緊張負荷がかかり、コースロープのワイヤが伸びたり、最悪の場合には切断してしまうという問題点があった。
【０００５】
また、特許文献１記載のコースロープ取付装置では、棒状部材で構成されたフックを掛け替えることによりコースロープ間の間隔を変えたり、コースロープをプールの片側へ寄せることを簡単に行うことができるようになっている。しかしながら、この取付装置では、プール使用時においては、このようなフック式のコースロープ取付装置では、コースロープの固定を強固に行うことができないため、競泳使用時にコースロープの位置が狂い易かったり、波によって想定以上に振れる虞があったりして、競技時の使用には不都合を来す虞があるものであった。
【０００６】
そこで、この考案のコースロープ支持装置では、可動床を上昇させるときにコースロープに対して悪影響が及ばず、また、通常の競技等におけるコースロープの使用時には、コースロープを規定通りの緊張状態に張ることができるプール用のコースロープ支持装置を提供することを目的としている。
【課題を解決するための手段】
【０００７】
上記目的を達成するため、この考案のプール用コースロープ支持装置は、プール壁面に装着可能な、上下方向に設置する支持軸と、当該支持軸に支持され、その軸線に沿って移動自在なコースロープの係止部とを設けており、当該係止部は、コースロープの端部を支持した状態で支持軸の軸線に沿って移動可能に構成していることを特徴としている。
この構成のプール用コースロープ支持装置では、係止部がコースロープの端部を支持した状態で支持軸の軸線に沿って移動自在に構成しているので、コースロープは緊張状態のまま上下方向に自由に移動可能である。このため、可動床を上昇させた時に可動床がコースロープを持ち上げても、コースロープが可動床に載った状態のまま、係止部が支持軸の軸線に沿って移動してコースロープも上昇するので、コースロープに過剰な緊張負荷がかかる虞を解消することができる。また、可動床を下降させれば、コースロープの下降と共に係止部も下降するため、コースロープは水面上の適切な位置に復帰させることができる。
【０００８】
また、この考案の請求項２記載のプール用コースロープ支持装置は、内部に空間を有する枠体内に支持軸と係止部とを設けて、支持軸と係止部とを枠体内に一体化した構成であることを特徴としている。
この請求項２記載のプール用コースロープ支持装置では、支持軸と係止部とを枠体内に一体に設けているので、当該コースロープ支持装置を設置する工事の際、一体化した枠体の必要数を適宜個所に設置していくことにより、複数のコースロープ支持装置を簡単に設置することができ、工事の簡易化、当該装置の設置の正確化、均一化を図ることができる。
【０００９】
さらに、考案の請求項３記載のプール用コースロープ支持装置は、支持軸に支持された係止部の移動を規制して、コースロープの上下方向の位置決めを行うロック装置を設けたことを特徴としている。
この請求項３記載のプール用コースロープ支持装置では、係止部の移動を規制することにより、コースロープの上下方向の移動を規制できるので、プールの使用時には、コースロープの上下方向の位置が変わることはなく、また、コースロープの緊張状態を規定通りに維持することができるため、競泳競技等の場合において、コースロープが必要以上に揺れたり振れたりする虞も解消することができる。
【考案を実施するための最良の形態】
【００１０】
以下では、この考案の実施の形態を、添付図面を参照して詳細に説明する。
図１は、この考案の実施形態としてのプール用コースロープ支持装置の斜視図、図２は、図１の側面図である。
このプール用コースロープ支持装置１は、取付用の枠体２と、上下方向に設置可能な支持軸３と、この支持軸３の軸線に沿って自由に移動可能に構成した係止部４と、によって構成している。
【００１１】
枠体２は、内部に上記支持軸３と係止部４とを収容可能な空間を有するもので、この実施の態様では、プール壁面に埋め込み可能とされた、外形が直方体の横長の枠体で形成している。この枠体２の上部材２１と下部材２２との間に、上記支持軸３を配置している。支持軸３は、この実施の態様では、ボルト状の丸棒で形成し、両端を枠体２の上下部材２１，２２に固定している。
【００１２】
係止部４は、ブロック状部材で形成し、平面視の中央に挿通孔を設けて、この挿通孔を上記支持軸３に挿通し、係止部４を支持軸３の軸線に沿って自由に移動可能に游嵌している。係止部４には、側面にコースロープＣのフックｃを係止するためのＵ字状のリング４１を具備している。
また、この実施の態様では、上記係止部４の移動を規制するためのロック部５を具備している。このロック部５は、レバー式に構成して、その基端５１を支持軸３に軸止し、他端５２を基端５１を中心として回動自在に構成しており、ロック部５の長手方向が支持軸３の軸線方向と同一となる位置と、支持軸３の軸線方向に直交する方向とに回動可能に構成している。そして、ロック部５の他端５２側を回動させて、支持軸３の軸線方向と同じ向きに回動させた位置（図２のａ）では、上記係止部４の移動を規制することができる。ロック部５の他端側５２を支持軸３の軸線方向と直交する方向に回動させた位置（図２のｂ）では、係止部４が支持軸３の軸線に沿って自由に移動できるように構成している。
【００１３】
この実施の形態のコースロープ支持装置１は、競技・遊泳用のプールにおける建築時において、コースロープの両端側のプール壁面に対して、枠体２の前面をプール壁面と同一面となるように埋め込み設置するものである。枠体２の設置は、係止部４１が支持軸３の下端側に下がった位置で、リング４１にコースロープＣのフックｃを係止した状態で、プール水面上に位置するコースロープＣの高さが一致するように設置する。また、通常、プールの使用時には、コースロープＣの位置を固定するように、ロック部５は係止部４の移動を規制する位置（図２のｂ）に回動させておく。
【００１４】
そして、この構成のコースロープ支持装置１を設置すると共に、可動床も装備されたプールにおいて、夜間等、可動床を水面まで上昇させる際には、可動床がコースロープＣを持ち上げることとなるため、コースロープＣの上下方向への固定状態を解放させることができるものである。まず、この実施の態様のコースロープ支持装置１では、ロック部５のレバーを回動させて係止部４の固定状態を解放することにより（図２のａ）、コースロープＣを支持軸３の軸線方向に移動自在な状態にすることができる。
【００１５】
これにより、コースロープＣが可動床により持ち上げられる状態となる場合、コースロープＣが緊張状態のままでコースロープＣは係止部４と共に上昇して、可動床によって異常な緊張となる事態を避けることができる。そして、可動床を下降させると可動床上のコースロープＣも同時に下降するが、係止部４を支持軸３の軸線に沿って移動自在に構成しているので、コースロープＣも可動床の下降と共に元の位置に復帰させることができる。
【００１６】
なお、上記した実施の形態において、枠体２を設けてその内部に、支持軸３、係止部４及びロック部５を設けた構成を示したが、枠体２を設けることなく、プール壁面に凹所を形成して、上記支持軸３、係止部４、ロック部５等の内部構成部材を設置することができるものである。支持軸３と係止部４とを一体に構成した枠体２を採用することにより、工事の容易化、当該装置の設置の正確性、均一性を図ることができるものである。
【００１７】
また、支持軸３は、丸棒状のものを例示したが、角柱状、多角形状等、種々の構成のものを採用できる。係止部４についても同様で、上記構成のものに限らず、支持軸３の軸線に沿って移動自在に構成できるものであれば、本考案の目的を達成できるものである。
【図面の簡単な説明】
【００１８】
【図１】この考案の実施形態としてのプール用コースロープ支持装置の斜視図である。
【図２】図１のコースロープ支持装置の一部を断面した側面図である。
【符号の説明】
【００１９】
１      プール用コースロープ支持装置
２      枠体
３      支持軸
４      係止部
５      ロック部
【図１】
0003144734.tif 000003
【図２】
0003144734.tif 000004